(57)【要約】【課題】  ブラウザのソフトウエアを実行せずに、画像コードの内容に含まれるＵＲＬ情報に対応するウェブページを確認出来る方法などを提供する。【解決手段】  撮像装置においてウェブページの内容を確認する方法は、画像コードを撮像する撮像工程を備える。画像コードの内容をデコードする解読工程を備える。画像コードの内容にＵＲＬ情報が含まれる場合に、ＵＲＬ情報を、キャプチャー画像供給装置に送信する送信工程を備える。キャプチャー画像供給装置から、ＵＲＬ情報に対応するウェブページをキャプチャーして得られたキャプチャー画像を受信する受信工程を備える。キャプチャー画像を、スルー画像に重畳して表示する第１表示工程を備える。【選択図】図１
2012209622.tif 000002
【特許請求の範囲】
【請求項１】
画像コードを撮像する撮像工程と、
前記画像コードの内容をデコードする解読工程と、
前記画像コードの内容にＵＲＬ情報が含まれる場合に、前記ＵＲＬ情報を、キャプチャー画像供給装置に送信する送信工程と、
前記キャプチャー画像供給装置から、前記ＵＲＬ情報に対応するウェブページをキャプチャーして得られたキャプチャー画像を受信する受信工程と、
前記キャプチャー画像を、スルー画像に重畳して表示する第１表示工程とを備えることを特徴とする撮像装置においてウェブページの内容を確認する方法。
【請求項２】
前記キャプチャー画像供給装置は、前記キャプチャー画像が内部に記録されていない場合に、ネットワークを介して、通信可能な外部装置から、前記ＵＲＬ情報に対応するウェブページのキャプチャー画像を受信し、前記撮像装置に送信するか、ネットワークを介して、前記ＵＲＬ情報に対応するウェブページにアクセスし、前記ウェブページのキャプチャー画像を取り込み、前記撮像装置に送信することを特徴とする請求項１に記載のウェブページの内容を確認する方法。
【請求項３】
前記キャプチャー画像供給装置は、内部に記録されている前記キャプチャー画像が古い場合に、ネットワークを介して、前記ＵＲＬ情報に対応するウェブページにアクセスし、前記ウェブページのキャプチャー画像を取り込み、記録することを特徴とする請求項２に記載のウェブページの内容を確認する方法。
【請求項４】
前記第１表示工程の後に、使用者が選択した場合に、ブラウザを起動し、前記キャプチャー画像に対応したウェブページを表示する第２表示工程を備えることを特徴とする請求項１に記載のウェブページの内容を確認する方法。
【請求項５】
前記第１表示工程は、前記画像コードの前記スルー画像上の位置関係に対応して、前記キャプチャー画像を重畳するスルー画像上の位置、大きさ、変形度合い、向きの少なくとも１つを変化させる工程を含むことを特徴とする請求項１に記載のウェブページの内容を確認する方法。
【請求項６】
画像コードを撮像する撮像工程と、
前記画像コードの内容をデコードする解読工程と、
前記画像コードの内容にＵＲＬ情報が含まれる場合に、前記ＵＲＬ情報を、キャプチャー画像供給装置に送信する送信工程と、
前記キャプチャー画像供給装置から、前記ＵＲＬ情報に対応するウェブページをキャプチャーして得られたキャプチャー画像を受信する受信工程と、
前記キャプチャー画像を、スルー画像に重畳して表示する表示工程とを実行することを特徴とする撮像装置においてウェブページの内容を確認するプログラム。
【請求項７】
画像コードを撮像する撮像部と、前記画像コードの内容をデコードする画像処理部と、前記画像コードの内容にＵＲＬ情報が含まれる場合に、前記ＵＲＬ情報を送信する通信部と、前記撮像部の撮像により得られた画像をスルー画像表示する表示部とを有する撮像装置と、
前記撮像装置から送られてきた前記ＵＲＬ情報に対応するウェブページをキャプチャーして得られたキャプチャー画像を前記撮像装置に送信するキャプチャー画像供給装置とを備え、
前記表示部は、前記キャプチャー画像を、スルー画像に重畳して表示することを特徴とするウェブページ内容確認システム。
【発明の詳細な説明】
【技術分野】
【０００１】
本発明は、画像コードに含まれるＵＲＬ情報に対応するウェブページの内容を確認する方法などに関する。
【背景技術】
【０００２】
特許文献１のように、ＵＲＬ情報を含むバーコード（画像コード）を読み取る装置が提案されている。
【先行技術文献】
【特許文献】
【０００３】
【特許文献１】特開２００３−１５０８９５号公報
【発明の概要】
【発明が解決しようとする課題】
【０００４】
しかし、画像コードの内容を読み取って得られたＵＲＬ情報に対応するウェブページへのアクセスはブラウザを使用するのが一般的である。この場合、画像コードを読み取るソフトウエアとは別に、ブラウザのソフトウエアを実行する必要がある。
【０００５】
したがって本発明の目的は、ブラウザのソフトウエアを実行せずに、画像コードの内容に含まれるＵＲＬ情報に対応するウェブページを確認出来る方法などを提供することである。
【課題を解決するための手段】
【０００６】
本発明に係る撮像装置においてウェブページの内容を確認する方法は、画像コードを撮像する撮像工程と、画像コードの内容をデコードする解読工程と、画像コードの内容にＵＲＬ情報が含まれる場合に、ＵＲＬ情報を、キャプチャー画像供給装置に送信する送信工程と、キャプチャー画像供給装置から、ＵＲＬ情報に対応するウェブページをキャプチャーして得られたキャプチャー画像を受信する受信工程と、キャプチャー画像を、スルー画像に重畳して表示する第１表示工程とを備える。
【０００７】
画像コードの内容は、コード領域を見ても理解出来ないため、ＵＲＬ情報が含まれるか否かは、機械を使って解読する必要がある。また、ＵＲＬ情報が使用者にとって有益な情報であるかどうかは、ＵＲＬ情報だけでは分かりにくく、ウェブページの情報を取得して確認する必要がある。ただし、ブラウザを使う場合には、画像コードを取り込むためのデジタルカメラ機能を使用するソフトウエアとは別に、ブラウザのソフトウエアを実行させる必要がある。
【０００８】
本発明では、表示部のスルー画像表示の上に、ＵＲＬ情報に対応するウェブページをキャプチャー画像で表示するので、ウェブページを見るためにブラウザを実行させる必要がなく、デジタルカメラ機能でスルー画像表示を続けながら、ウェブページの内容を可視化することが可能になる。キャプチャー画像を確認し、必要に応じて、ウェブページにアクセスすればよいので、ウェブページにアクセスする前に、適当なウェブページを選択することが可能になる。
【０００９】
特に、画像コードが幾つかある場合には、連続してキャプチャー画像を表示させ、使用者にとって適当なウェブページを選択させることが可能になる。
【００１０】
また、撮像装置のブラウザでウェブページにアクセスせず、キャプチャー画像でウェブページの内容を確認出来るので、ブラウザでウェブページにアクセスした場合のリスク（コンピュータウィルス感染など）を回避出来る。
【００１１】
また、画像コードを含む撮影対象物には、画像コードの内容と関連する情報が記載されていることが多い。本発明では、撮影対象物の記載内容や画像コードをスルー画像で表示し、記載内容に関連するウェブページをキャプチャー画像でその上に表示するので、撮影対象物の記載内容を視覚的に理解しやすくなるメリットもある。
【００１２】
好ましくは、キャプチャー画像供給装置は、キャプチャー画像が内部に記録されていない場合に、ネットワークを介して、通信可能な外部装置から、ＵＲＬ情報に対応するウェブページのキャプチャー画像を受信し、撮像装置に送信するか、ネットワークを介して、ＵＲＬ情報に対応するウェブページにアクセスし、ウェブページのキャプチャー画像を取り込み、撮像装置に送信する。
【００１３】
さらに好ましくは、キャプチャー画像供給装置は、内部に記録されているキャプチャー画像が古い場合に、ネットワークを介して、ＵＲＬ情報に対応するウェブページにアクセスし、ウェブページのキャプチャー画像を取り込み、記録する。
【００１４】
これにより、キャプチャー画像を最新の状態に更新し続けることが可能になる。
【００１５】
また、好ましくは、第１表示工程の後に、使用者が選択した場合に、ブラウザを起動し、キャプチャー画像に対応したウェブページを表示する第２表示工程を備える。
【００１６】
また、好ましくは、第１表示工程は、画像コードのスルー画像上の位置関係に対応して、キャプチャー画像を重畳するスルー画像上の位置、大きさ、変形度合い、向きの少なくとも１つを変化させる工程を含む。
【００１７】
本発明に係る撮像装置においてウェブページの内容を確認するプログラムは、画像コードを撮像する撮像工程と、画像コードの内容をデコードする解読工程と、画像コードの内容にＵＲＬ情報が含まれる場合に、ＵＲＬ情報を、キャプチャー画像供給装置に送信する送信工程と、キャプチャー画像供給装置から、ＵＲＬ情報に対応するウェブページをキャプチャーして得られたキャプチャー画像を受信する受信工程と、キャプチャー画像を、スルー画像に重畳して表示する表示工程とを実行する。
【００１８】
本発明に係るウェブページ内容確認システムは、画像コードを撮像する撮像部と、画像コードの内容をデコードする画像処理部と、画像コードの内容にＵＲＬ情報が含まれる場合に、ＵＲＬ情報を送信する通信部と、撮像部の撮像により得られた画像をスルー画像表示する表示部とを有する撮像装置と、撮像装置から送られてきたＵＲＬ情報に対応するウェブページをキャプチャーして得られたキャプチャー画像を撮像装置に送信するキャプチャー画像供給装置とを備え、表示部は、キャプチャー画像を、スルー画像に重畳して表示する。
【発明の効果】
【００１９】
以上のように本発明によれば、ブラウザのソフトウエアを実行せずに、画像コードの内容に含まれるＵＲＬ情報に対応するウェブページを確認出来る方法などを提供することができる。
【図面の簡単な説明】
【００２０】
【図１】二次元画像コードが設けられた撮影対象物の構成図である。
【図２】撮像装置、キャプチャー画像供給装置の構成図である。
【図３】撮像装置側の動作手順を示すフローチャートである。
【図４】キャプチャー画像供給装置側の動作手順を示すフローチャートである。
【図５】撮影対象物と、スルー画像表示にキャプチャー画像を重畳させた状態の撮像装置を示す図である。
【発明を実施するための形態】
【００２１】
以下、本実施形態におけるウェブページ内容確認システムの構成について、図を用いて説明する。本実施形態に係るウェブページ内容確認システムは、撮影対象物１０、撮像装置２０、キャプチャー画像供給装置４０を備える（図１〜図５参照）。
【００２２】
撮影対象物１０は、ＱＲコード（登録商標）などの二次元画像コード１２を含む印刷物であるが、二次元画像コード１２を示す領域を含む画像がモニター上に表示された物であってもよい。なお、図１に示される二次元画像コード１２は、二次元画像コード１２の具体的な例を表すために使用するが、コード内容は本実施形態と関係するものではない。また、ＵＲＬ情報を含む画像コードであれば、二次元画像コード１２に限られるものではなく、バーコードなど他の画像コードであってもよい。
【００２３】
撮像装置２０は、例えば、カメラ付きの携帯電話などであり、操作部２１、第１記録部２２、第１画像処理部２３、表示部２４、撮像部２５、第１通信部２６、第１制御部２９を有する（図２参照）。
【００２４】
操作部２１は、テンキーなどの入力手段であるが、タッチパネルのように、操作部２１と表示部２４が一体となった形態であってもよい（図５参照）。第１記録部２２には、二次元画像コード１２の内容を解読（デコード）し、二次元画像コード１２の内容に含まれるＵＲＬ情報に対応するキャプチャー画像をキャプチャー画像供給装置４０から受信し、表示部２４のスルー画像上にキャプチャー画像を表示させる第１プログラムがインストールされる。
【００２５】
第１画像処理部２３は、ＤＳＰなど、演算処理を行う装置で、撮像部２５で得られた画像信号の画像処理や、撮像部２５で得られた画像信号に基づく画像上の二次元画像コード１２の内容の解読（デコード）を行う。
【００２６】
表示部２４は、撮像部２５で得られた画像信号に基づく画像を表示し、二次元画像コード１２の内容にＵＲＬ情報が含まれる場合には、かかる画像（スルー画像）の上にＵＲＬ情報に対応するウェブページのキャプチャー画像を重畳して表示する。撮像部２５は、撮影対象物１０を撮像するデジタルカメラである。
【００２７】
第１通信部２６は、キャプチャー画像供給装置４０と通信し情報の送受信を行う。具体的には、第１通信部２６は、二次元画像コード１２の内容にＵＲＬ情報が含まれる場合に、該ＵＲＬ情報を、キャプチャー画像供給装置４０に送信する。また、第１通信部２６は、キャプチャー画像供給装置４０から送信された、該ＵＲＬ情報に対応するウェブページのキャプチャー画像を受信する。第１制御部２９は、ＣＰＵなど、撮像装置２０の各部の制御（第１プログラムの実行など）を行う。
【００２８】
キャプチャー画像供給装置４０は、例えば、サーバーなどであり、第２記録部４２、第２画像処理部４３、第２通信部４６、第２制御部４９を有する。
【００２９】
第２記録部４２には、二次元画像コード１２の内容に含まれるＵＲＬ情報に対応するウェブページのキャプチャー画像が記録されたり、ＵＲＬ情報に対応するキャプチャー画像を読み出し若しくは取り込みし撮像装置２０に送信する第２プログラムがインストールされたりする。
【００３０】
第２画像処理部４３は、ＤＳＰなど、演算処理を行う装置で、第２記録部４２などに、二次元画像コード１２の内容に含まれるＵＲＬ情報に対応するウェブページのキャプチャー画像が記録されていない場合に、第２通信部４６やネットワークを介して、取り込みした該ウェブページのキャプチャー画像を撮像装置２０に合ったサイズに調整する（リサイズ）。
【００３１】
第２通信部４６は、撮像装置２０と通信し情報の送受信を行う。具体的には、第２通信部４６は、二次元画像コード１２の内容に含まれるＵＲＬ情報に対応するウェブページのキャプチャー画像が、第２記録部４２に記録されていない場合に、ネットワークを介して、該ＵＲＬ情報に対応するウェブページのキャプチャー画像を取得するために該ウェブページにアクセスするための信号送受信をしたり、かかるキャプチャー画像を、第１通信部２６に送信したりする。第２制御部４９は、ＣＰＵなど、キャプチャー画像供給装置４０の各部の制御（第２プログラムの実行など）を行う。
【００３２】
二次元画像コード１２の内容に含まれるＵＲＬ情報に対応するウェブページのキャプチャー画像を表示する際の撮像装置２０側の動作手順について、図３のフローチャートを用いて、説明する。使用者が、撮像装置２０の操作部２１を操作し、キャプチャー画像を重畳表示する動作を開始させることにより、第１プログラムが起動し、第１制御部２９が撮像部２５など各部を制御し、ステップＳ１１〜Ｓ１９の動作が行われる（第１プログラムが実行される）。
【００３３】
ステップＳ１１で、撮像部２５は、撮影対象部１０を撮像する（撮像工程）。撮像工程で得られた撮影対象物１０の画像は、第１画像処理部２３で画像処理が施され、表示部２４に表示される。撮像工程は、第１時間ｔ１（例えば１／３０秒）ごとに行われ、表示部２４は第１時間ｔ１ごとに表示する画像を更新するスルー画像表示を行う（ライブビュー表示）。
【００３４】
ステップＳ１２で、第１制御部２９は、撮像により得られた撮影対象物１０の画像に、第１画像処理部２３が解読（デコード）可能な二次元画像コード１２が含まれているか否かを判断する。含まれている場合には、ステップＳ１３に進められ、含まれていない場合には、ステップＳ１１に戻る。
【００３５】
ステップＳ１３で、第１画像処理部２３は、撮像により得られた撮影対象物１０の画像における二次元画像コード１２がある部分を特定し、二次元画像コード１２の内容を解読（デコード）する（解読工程）。
【００３６】
ステップＳ１４で、第１制御部２９は、二次元画像コード１２の内容にＵＲＬ情報が含まれているか否かを判断する。含まれている場合には、ステップＳ１５に進められ、含まれていない場合には、ステップＳ１９に進められる。
【００３７】
ステップＳ１５で、第１制御部２９は、第１通信部２６を介して、ステップＳ１３でデコードした二次元画像コード１２の内容に含まれるＵＲＬ情報を、キャプチャー画像供給装置４０に送信する（送信工程）。
【００３８】
ステップＳ１６で、第１制御部２３は、第１通信部２６を介して、キャプチャー画像供給装置４０からキャプチャー画像情報を受信した（受信工程があった）か否かを判断する。受信した場合には、ステップＳ１７に進められ、受信しない場合には、ステップＳ１６を繰り返す。ただし、ステップＳ１５のＵＲＬ情報送信から第２時間ｔ２（例えば３０秒）経過してもキャプチャー画像情報を受信しない場合は、キャプチャー画像取得に失敗した旨を表示部２４に表示し、ステップＳ１１に戻る工程があってもよい。
【００３９】
ステップＳ１７で、表示部２４は、キャプチャー画像を、スルー画像の上に重畳する（第１表示工程）。このとき、二次元画像コード１２を含む領域を追尾し、二次元画像コード１２を含む領域の位置、大きさ、変形度合い、向きなどに対応して、キャプチャー画像を重畳するスルー画像上の位置、大きさ、変形度合い、向きなどを変化させる工程があってもよい。
【００４０】
二次元画像コード１２を含む領域の変形度合いは、撮像装置２０と実際の撮影対象物１０との位置関係に起因するもので、二次元画像コード１２を含む領域の本来の形状（正方形若しくは矩形）に比べた変形度合いを示す。二次元画像コード１２を含む領域の向きは、二次元画像コード１２を含む領域における特定の部位の画面上における向き（例えば、画面上における二次元画像コード１２を含む領域の中心からかかる領域の外形を構成する辺の１つへの方向）を示し、二次元画像コード１２を含む領域の画像パターンにより、特定される。
【００４１】
ステップＳ１８で、表示部２４は、ブラウザを起動してキャプチャー画像に対応したウェブページを表示させるか否かを使用者に確認する案内を表示する（図５参照）。使用者が、操作部２１を使って、キャプチャー画像に対応したウェブページを表示させることを選択した場合には、第１制御部２３は、ブラウザを起動し、キャプチャー画像に対応したウェブページを表示部２４に表示させる（第２表示工程）。また、使用者の選択または自動的に、ＵＲＬ情報やキャプチャー画像を第１記録部２２に記録する工程があってもよい。
【００４２】
ステップＳ１９で、表示部２４は、二次元画像コード１２の内容を、スルー画像の上に重畳する。このとき、二次元画像コード１２を含む領域を追尾し、二次元画像コード１２を含む領域の位置、大きさ、変形度合い、向きなどに対応して、二次元画像コード１２の内容を重畳するスルー画像上の位置、大きさ、変形度合い、向きなどを変化させる工程があってもよい。
【００４３】
次に、二次元画像コード１２の内容に含まれるＵＲＬ情報に対応するウェブページのキャプチャー画像を表示する際のキャプチャー画像供給装置４０側の動作手順について、図４のフローチャートを用いて、説明する。
【００４４】
ステップＳ３１で、第２制御部４９は、第２通信部４６が、撮像装置２０の第１通信部２６から送信された、デコードした二次元画像コード１２の内容に含まれるＵＲＬ情報を、受信したか否かを判断する。受信した場合には、ステップＳ３２に進められ、受信していない場合には、待機状態を維持する。
【００４５】
ステップＳ３２で、第２制御部４９は、第２記録部４２が、ステップＳ３１で受信したＵＲＬ情報に対応するウェブページのキャプチャー画像を記録しているか否かを判断する。記録している場合には、ステップＳ３３に進められ、記録していない場合には、ステップＳ３４に進められる。
【００４６】
ステップＳ３３で、第２制御部４９は、第２記録部４２に記録されている、ステップＳ３１で受信したＵＲＬ情報に対応するウェブページのキャプチャー画像を読み出しする。
【００４７】
ステップＳ３４で、第２制御部４９は、第２通信部４６やネットワークを介して、ステップＳ３１で受信したＵＲＬ情報に対応するウェブページにアクセスし、該ウェブページのキャプチャー画像を取り込み、第２記録部４２に記録する。
【００４８】
ステップＳ３５で、第２画像処理部４３は、ステップＳ３３で第２記録部４２から読み出ししたキャプチャー画像、若しくは、ステップＳ３４で取り込んだキャプチャー画像を、必要に応じて、撮像装置２０で重畳表示するのに適当なサイズにリサイズ（縮小）する。なお、ステップＳ３４におけるキャプチャー画像の取り込み時に、撮像装置２０で表示するのに十分な大きさが考慮されていれば、かかるリサイズの工程は不要の場合も考えられる。
【００４９】
縮小する度合いは、撮像装置２０の表示部２４の有効表示面積、撮像装置２０の第１画像処理部２３や第１制御部２９の処理能力、第１通信部２６の通信速度などを考慮して決定されるのが望ましいが、一定の画像サイズに縮小させる形態であってもよい。撮像装置２０の表示部２４の有効表示面積、撮像装置２０の第１画像処理部２３や第１制御部２９の処理能力、第１通信部２６の通信速度などの情報は、撮像装置２０から第１通信部２６を介して収集可能である。
【００５０】
ステップＳ３６で、第２通信部４６は、キャプチャー画像を、撮像装置２０に送信する。送信後、撮像装置２０側では、ステップＳ１６〜Ｓ１８の動作が行われる。
【００５１】
なお、ステップＳ３４におけるＵＲＬ情報に対応するウェブページにアクセスし、該ウェブページのキャプチャー画像を取り込む形態に代えて、第２制御部４９は、第２通信部４６やネットワークを介して、ＵＲＬ情報に対応するウェブページのキャプチャー画像を取り寄せ出来る外部装置があるか確認し、かかる外部装置からＵＲＬ情報に対応するウェブページのキャプチャー画像を受信し、第２記録部４２に記録する形態であってもよい。
【００５２】
画像コードの内容は、二次元画像コード１２を見ても理解出来ないため、ＵＲＬ情報が含まれるか否かは、機械を使って解読する必要がある。また、ＵＲＬ情報が使用者にとって有益な情報であるかどうかは、ＵＲＬ情報だけでは分かりにくく、ウェブページの情報を取得して確認する必要がある。ただし、ブラウザを使う場合には、画像コードを取り込むためのデジタルカメラ機能を使用するソフトウエアとは別に、ブラウザのソフトウエアを実行させる必要がある。
【００５３】
本実施形態では、表示部２４のスルー画像表示の上に、ＵＲＬ情報に対応するウェブページをキャプチャー画像で表示するので、ウェブページを見るためにブラウザを実行させる必要がなく、デジタルカメラ機能でスルー画像表示を続けながら、ウェブページの内容を可視化することが可能になる。キャプチャー画像を確認し、必要に応じて、ウェブページにアクセスすればよいので、ウェブページにアクセスする前に、適当なウェブページを選択することが可能になる。このため、ブラウザを使ってウェブページにアクセスすることによる手間（ブラウザを起動する時間、データ通信コスト、操作の手間など）を軽減することが出来る。
【００５４】
特に、二次元画像コード１２が幾つかある場合には、連続してキャプチャー画像を表示させ、使用者にとって適当なウェブページを選択させることが可能になる。
【００５５】
また、撮像装置２０のブラウザでウェブページにアクセスせず、キャプチャー画像でウェブページの内容を確認出来るので、ブラウザでウェブページにアクセスした場合のリスク（コンピューターウィルス感染など）を回避出来る。
【００５６】
また、二次元画像コード１２を含む撮影対象物１０には、二次元画像コード１２の内容と関連する情報（例えば、図１や図５では、「特許事務所の案内です。詳しくは、下記の画像コードを読み取って、ホームページにアクセスしてください。」という情報）が記載されていることが多い。本実施形態では、撮影対象物１０の記載内容や二次元画像コード１２をスルー画像で表示し、記載内容に関連するウェブページをキャプチャー画像でその上に表示するので、撮影対象物１０の記載内容を視覚的に理解しやすくなるメリットもある。
【００５７】
なお、第２記録部４２に記録されたＵＲＬ情報に対応するウェブページのキャプチャー画像は、最新のものが得られるように、第４時間ｔ４（例えば、１週間）ごとに更新する形態であってもよい。具体的には、キャプチャー画像を取得した日時から第４時間ｔ４だけ経過した場合には、ウェブページにアクセスして最新のキャプチャー画像を取り込み、第２記録部４２に記録する。
【符号の説明】
【００５８】
１０  撮影対象物
１２  二次元画像コード
２０  撮像装置
２１  操作部
２２  第１記録部
２３  第１画像処理部
２４  表示部
２５  撮像部
２６  第１通信部
２９  第１制御部
４０  キャプチャー画像供給装置
４２  第２記録部
４３  第２画像処理部
４６  第２通信部
４９  第２制御部
【図１】
2012209622.tif 000003
【図２】
2012209622.tif 000004
【図３】
2012209622.tif 000005
【図４】
2012209622.tif 000006
【図５】
2012209622.tif 000007